(57)【要約】【課題】  本発明はゴルフクラブに係り、ヘッドの反発係数を容易に調整可能として、２００８年以降のルールに適合したヘッドと高反発のヘッドとに使い分けでき、併せて調整前と調整後で重量バランスに影響がなく安定したスイングが可能なゴルフクラブを提供することを目的とする。【解決手段】  請求項１に係る発明は、シャフトと、当該シャフトの先端に取り付くヘッドとを備えたゴルフクラブに於て、上記ヘッドに、ボールを打球する打球面を形成するフェース部の裏面に当接し、打球時の当該フェース部に対する押圧力が切換え可能な反発係数切換え部材を設けたことを特徴とする。【選択図】    図３
2007044279.tif 000002
【特許請求の範囲】
【請求項１】
シャフトと、当該シャフトの先端に取り付くゴルフクラブヘッドとを備えたゴルフクラブに於て、
上記ゴルフクラブヘッドに、ボールを打球する打球面を形成するフェース部の裏面に当接し、打球時の当該フェース部に対する押圧力が切換え可能な反発係数切換え部材を設けたことを特徴とするゴルフクラブ。
【請求項２】
反発係数切換え部材は、一端がフェース部の裏面に当接し、当該フェース部への当接方向に沿ってゴルフクラブヘッドに移動自在に取り付く線状部材と、当該線状部材を当接方向へ押圧する押圧部材と、当該押圧部材と交換可能な異なる押圧力を有する押圧部材と、ゴルフクラブヘッドに取り付き、押圧部材の押圧力を線状部材に付勢する栓体とからなり、
上記押圧部材の交換で、フェース部に対する押圧力が切り換わることを特徴とする請求項１に記載のゴルフクラブ。
【請求項３】
反発係数切換え部材は、一端がフェース部の裏面に当接し、当該フェース部への当接方向に沿ってゴルフクラブヘッドに移動自在に取り付く線状部材と、当該線状部材を当接方向へ押圧する押圧部材と、上記当接方向に沿ってゴルフクラブヘッドに移動自在に取り付き、押圧部材の押圧力を線状部材に付勢する栓体とからなり、
当該栓体の移動で、フェース部に対する押圧力が切り換わることを特徴とする請求項１に記載のゴルフクラブ。
【請求項４】
反発係数切換え部材は、フェース部の裏面に当接し、ゴルフクラブヘッドに回転可能に取り付くプレート部材からなり、
当該プレート部材の回転操作で、フェース部に対する押圧力が切り換わることを特徴とする請求項１に記載のゴルフクラブ。
【請求項５】
反発係数切換え部材は、一端がフェース部の裏面に当接し、他端側がゴルフクラブヘッドに取り付く栓体に止着された第１の線状部材と、
当該線状部材と剛性の異なる材料で形成されて一端がフェース部の裏面に当接し、他端側がゴルフクラブヘッドに取り付く栓体に止着された第２の線状部材とからなり、
上記第１，第２の線状部材の交換で、フェース部に対する押圧力が切り換わることを特徴とする請求項１に記載のゴルフクラブ。
【請求項６】
反発係数切換え部材は、一端側にフェース部の裏面に当接する当接部材を装着し、他端側がゴルフクラブヘッドに取り付く栓体に止着された第１の線状部材と、
上記当接部材と剛性の異なる材料で形成されてフェース部の裏面に当接する当接部材を一端側に装着し、他端側がゴルフクラブヘッドに取り付く栓体に止着された第２の線状部材とからなり、
上記第１，第２の線状部材の交換で、フェース部に対する押圧力が切り換わることを特徴とする請求項１に記載のゴルフクラブ。
【請求項７】
反発係数切換え部材は、一端がフェース部の裏面に当接し、他端側がゴルフクラブヘッドに回転可能に取り付く栓体に止着された線状部材からなり、
栓体の周方向への回転操作に応じ、フェース部裏面への線状部材の当接位置が変化して、フェース部に対する押圧力が切り換わることを特徴とするゴルフクラブ。
【請求項８】
反発係数切換え部材は、打球面の中央に対応するフェース部の裏面に当接することを特徴とする請求項１乃至請求項６のいずれか１項に記載のゴルフクラブ。
【請求項９】
反発係数切換え部材は、打球面の中央部に接する平面に対し鉛直方向に配置されていることを特徴とする請求項１乃至請求項６のいずれか１項に記載のゴルフクラブ。
【発明の詳細な説明】
【技術分野】
【０００１】
本発明はゴルフクラブに係り、詳しくはヘッドの反発係数を調整可能としたゴルフクラブに関する。
【背景技術】
【０００２】
従来からゴルフプレイヤーは打球の飛距離に関心が高く、ボールをより遠くへ飛ばせるゴルフクラブを好んでいる。
そして、反発性能に優れているゴルフクラブヘッド（以下、「ヘッド」という）は、ボールの打ち出し初速を高め、飛距離を増大することができる。
このため、近年、製造販売されている多くのゴルフクラブは、より大きな飛距離が得られるように反発係数の大きなヘッドを装着したものが多く、反発係数の大きなヘッドを装着したゴルフクラブがゴルフメーカの販売主力商品となっている。
【０００３】
従来周知のようにこの反発係数は、一般に全米ゴルフ協会（ＵＳＧＡ）のＰｒｏｃｅｄｕｒｅ  ｆｏｒ  Ｍｅａｓｕｒｅｉｎｇ  ｔｈｅ  Ｖｅｌｏｃｉｔｙ  Ｒａｔｉｏ  ｏｆ  ａ  Ｃｌｕｂ  Ｈｅａｄ  ｆｏｒ  Ｃｏｎｆｏｒｍａｎｃｅ  ｔｏ  Ｒｕｌｅ  ４−１ｅ，  Ｒｅｖｉｓｉｏｎ  ２（ｆｅｂｒｕａｒｙ  ８，１９９９）等に規定される方法に準拠して測定される。
【０００４】
ところが、ＵＳＧＡやイギリスのロイヤル・アンド・エイシェント・ゴルフ・クラブ・オブ・セント・アンド・リューズ（Ｒ＆Ａ）では、ヘッドの反発係数の上限を規制するルールを検討しており、予定では２００８年１月より、反発係数の上限を０．８３０に規制することがアナウンスされている。
しかし乍ら、このルールが適用されると、今まで使用可能であったゴルフクラブはプライベート以外では使用できず、ルール違反となって公式の競技会で使用できなくなる不具合が生じ、また、ルール適合仕様は２００８年以降に使用できるものの、２００７年まではその必要がないにも拘わらず反発性能を抑えて飛びを制限してしまうため、飛距離が抑えられてスコアが上がらず、楽しさが減少してしまうこととなる。
【０００５】
一方、ゴルフメーカにとっても、ルールに適合するゴルフクラブと適合しないゴルフクラブの２種類を製造することは生産管理や在庫管理に手間を要し、コストが掛かってしまう問題があった。
そこで、斯かる実情に鑑み、特許文献１には、上述の如きルールに不適合なヘッドを回収して、これに実質的な変形ないし破壊を伴うことなく反発係数を低下させる反発係数調整処理を行い、これをゴルフプレイヤーに返却するヘッドのリサイクル方法が開示されている。
【０００６】
更に、特許文献２には、ボールを打撃するフェース面を形成するフェース壁部を備え、且つ内部に中空部を設けたウッドのヘッドに改良を加え、大きなヘッドスピードでボールを打撃したときに、フェース壁部の背面と当接する１以上の突起を上記中空部に設けたヘッドが開示されている。
また、既述した全米ゴルフ協会の反発係数の測定方法は複数の工程を必要とし、時間がかかる不具合があるとして、斯かる測定方法に代わるペンデュラムテストとその装置が特許文献３，４に開示されている。
【０００７】
このペンデュラムテストは、ヘッドを静止保持した後、材料塊（質量体）をヘッドのフェース部に自由落下し、これを衝突させてその柔軟性の相対的な度合いを判定するもので、既述した２００８年以降のルールに適合するには、このペンデュラムテストの測定値が２５７・１０-6秒未満（好ましくは、２３９・１０-6秒未満）であることが必要とされている。
【特許文献１】特開２００４−４９７３４号公報
【特許文献２】特開２００４−１４１２６７号公報
【特許文献３】特開２００４−２４９０８６公報
【特許文献４】特開２００４−２６７４３８公報
【発明の開示】
【発明が解決しようとする課題】
【０００８】
しかし乍ら、特許文献１に開示されたヘッドは、一旦反発係数調整処理を行ってしまうと高反発なヘッドでなくなるため、もはや飛距離を楽しむことができなくなってしまう不具合がある。
一方、強打時に反発係数を抑制する特許文献２のヘッドは、材料塊を自由落下させる程度の衝撃ではフェース壁部が変形しないため、ペンデュラムテストではルールに適合しない虞があった。
【０００９】
本発明は斯かる実情に鑑み案出されたもので、ヘッドの反発係数を容易に調整可能として、２００８年以降のルールに適合したヘッドと高反発のヘッドとに使い分けでき、併せて調整前と調整後で重量バランスに影響がなく安定したスイングが可能なゴルフクラブを提供することを目的とする。
【課題を解決するための手段】
【００１０】
斯かる目的を達成するため、請求項１に係る発明は、シャフトと、当該シャフトの先端に取り付くヘッドとを備えたゴルフクラブに於て、上記ヘッドに、ボールを打球する打球面を形成するフェース部の裏面に当接し、打球時の当該フェース部に対する押圧力が切換え可能な反発係数切換え部材を設けたことを特徴とする。
そして、請求項２に係る発明は、請求項１に記載のゴルフクラブに於て、反発係数切換え部材は、一端がフェース部の裏面に当接し、当該フェース部への当接方向に沿ってヘッドに移動自在に取り付く線状部材と、当該線状部材を当接方向へ押圧する押圧部材と、当該押圧部材と交換可能な異なる押圧力を有する押圧部材と、ヘッドに取り付き、押圧部材の押圧力を線状部材に付勢する栓体とからなり、上記押圧部材の交換で、フェース部に対する押圧力が切り換わることを特徴とする。
【００１１】
また、請求項３に係る発明は、請求項１に記載のゴルフクラブに於て、反発係数切換え部材は、一端がフェース部の裏面に当接し、当該フェース部への当接方向に沿ってヘッドに移動自在に取り付く線状部材と、当該線状部材を当接方向へ押圧する押圧部材と、上記当接方向に沿ってヘッドに移動自在に取り付き、押圧部材の押圧力を線状部材に付勢する栓体とからなり、当該栓体の移動で、フェース部に対する押圧力が切り換わることを特徴とする。
【００１２】
更に、請求項４に係る発明は、請求項１に記載のゴルフクラブに於て、反発係数切換え部材は、フェース部の裏面に当接し、ヘッドに回転可能に取り付くプレート部材からなり、当該プレート部材の回転操作で、フェース部に対する押圧力が切り換わることを特徴とし、請求項５に係る発明は、請求項１に記載のゴルフクラブに於て、反発係数切換え部材は、一端がフェース部の裏面に当接し、他端側がヘッドに取り付く栓体に止着された第１の線状部材と、当該線状部材と剛性の異なる材料で形成されて一端がフェース部の裏面に当接し、他端側がヘッドに取り付く栓体に止着された第２の線状部材とからなり、上記第１，第２の線状部材の交換で、フェース部に対する押圧力が切り換わることを特徴とする。
【００１３】
一方、請求項６に係る発明は、請求項１に記載のゴルフクラブに於て、反発係数切換え部材は、一端側にフェース部の裏面に当接する当接部材を装着し、他端側がヘッドに取り付く栓体に止着された第１の線状部材と、上記当接部材と剛性の異なる材料で形成されてフェース部の裏面に当接する当接部材を一端側に装着し、他端側がヘッドに取り付く栓体に止着された第２の線状部材とからなり、上記第１，第２の線状部材の交換で、フェース部に対する押圧力が切り換わることを特徴とし、請求項７に係る発明は、請求項１に記載のゴルフクラブに於て、反発係数切換え部材は、一端がフェース部の裏面に当接し、他端側がヘッドに回転可能に取り付く栓体に止着された線状部材からなり、栓体の周方向への回転操作に応じ、フェース部裏面への線状部材の当接位置が変化して、フェース部に対する押圧力が切り換わることを特徴とする。
【００１４】
そして、請求項８に係る発明は、請求項１乃至請求項６のいずれか１項に記載のゴルフクラブに於て、反発係数切換え部材は、打球面の中央に対応するフェース部の裏面に当接することを特徴とし、請求項９に係る発明は、請求項１乃至請求項６のいずれか１項に記載のゴルフクラブに於て、反発係数切換え部材は、打球面の中央部に接する平面に対し鉛直方向に配置されていることを特徴としている。
【発明の効果】
【００１５】
各請求項に係る発明によれば、反発係数切換え部材によりヘッドの反発係数を容易に調整可能として、２００８年以降のルールに適合したヘッドと高反発のヘッドとに使い分けすることができるので、ルールに適合した仕様により公式の競技会で使用でき、また、プライベートな使用では飛びを制限することなく飛距離を楽しむことが可能となる。
而も、反発係数切換え部材で反発係数を切り換えても、反発係数切換え部材をフェース部の裏面に当接させたまま、押圧力を変化させる構造上、打球音の大きな変化もなく、安定したスイングが可能である。
【００１６】
また、ゴルフメーカにとっても、ルールに適合するゴルフクラブと適合しないゴルフクラブの２種類を製造する必要がないため、面倒な生産管理や在庫管理が不要となってコストが掛かることがない。
そして、請求項８及び請求項９に係る発明によれば、反発係数切換え部材によって、打球時のヘッドの撓みを効率よく低減させることができる。
【発明を実施するための最良の形態】
【００１７】
以下、本発明の実施形態を図面に基づいて詳細に説明する。
図１乃至図６は請求項１，請求項２，請求項８及び請求項９の発明をウッド（ドライバー）のゴルフクラブに適用した一実施形態を示し、繊維強化樹脂または金属で形成されたシャフト１の先端にヘッド３が取り付き、シャフト１の後端側にグリップ５が取り付いて本実施形態に係るゴルフクラブ７が形成されている。そして、周知のようにゴルフクラブ７のライ角αは、ヘッド３が接する水平基準面Ｌとシャフト軸線Ｓとで設定される。
【００１８】
図２に示すようにヘッド３は、フェース側開口部１１を除き、クラウン部（トップ部）１３やフェース部１５，サイド部１７，ソール部１９がチタン合金で一体に鋳造された中空な外殻体からなるヘッド本体２１と、フェース側開口部１１に取り付くフェースプレート２３で構成されており、フェースプレート２３は、フェース側開口部１１の形状に沿ってチタン合金等の金属材料を塑性加工（圧延やプレス成形）して形成されている。
【００１９】
そして、フェース側開口部１１にフェースプレート２３を接合する当たっては、レーザー溶接やプラズマ溶接がビードが少なく好ましく、ヘッド本体２１のフェース部１５とフェースプレート２３とによって、ヘッド３の打球面として機能するフェース部９が構成されており、ヘッド３はトップ，ソール方向に比べトゥ，ヒール方向が長い、扁平で高さが低く幅広な形状となっている。
【００２０】
尚、ヘッド３は、図２及び図３に示すトップエッジ２５とリーディングエッジ２７によって、フェース部９がクラウン部１３やサイド部１７，ソール部１９と区画されると共に、図３及び図６に示すエッジ２９によってサイド部１７とソール部１９が区画され、更にトップエッジ２５に連なるエッジ３１によってサイド部１７とクラウン部１３が区画されているが、エッジとは所謂「境目」で、例えばソール部外表面のＲとサイド部外表面のＲより小さいＲでソール部とサイド部が繋がる中央部をいい、通常、稜線が視認可能である。
【００２１】
そして、図示しないがヘッド本体２１のヒール側に、クラウン部１３からソール部１９に亘ってシャフト止着孔が貫通する筒状のシャフト止着部が、ヒール壁３３とフェース部９との間に間隙を開けてヘッド本体２１に一体成形されており、図１及び図６に示すようにシャフト止着部は、ヘッド本体２１の上方へ突出してホーゼル部３５を形成している。そして、ホーゼル部３５側からシャフト止着孔にシャフト１がエポキシ樹脂等の接着剤で挿着されている。
【００２２】
而して、本実施形態に係るゴルフクラブ７は、上述の如き構成に加え、フェース部９の裏面に当接し、打球時の当該フェース部９に対する押圧力が切換え可能な反発係数切換え部材３７を設けたことを特徴とする。
即ち、図３乃至図５に於て、３９は低比重なチタン合金（例えばＴｉ−６Ａｌ−４Ｖ）で形成された太さ１．８〜５．０ｍｍからなる軽量な棒状の線状部材で、その先端に当該線状部材３９よりやや大径な球状部４１が一体に形成され、線状部材３９の後端は円筒状の支持部材４３の中心に挿着されている。
【００２３】
線状部材３９の太さは１．８ｍｍ未満では強度が不足し、５．０ｍｍを超えると重量が重くなって、ヘッド重量や重量バランスが変化し過ぎてしまう。
一方、フェース部９に対向するサイド部１７には、上記支持部材４３が移動可能な挿通孔４５が設けられた筒状の取付部４７がフェース部９の裏面方向へ突設されており、当該取付部４７の中心軸はヘッド３の打球面の中央と一致している。そして、ヘッド３の打球面の中央に対応するフェース部９の裏面に、上記球状部４１が嵌合当接する円弧状の凹部４９が設けられている。
【００２４】
尚、本明細書に於て、「打球面の中央」とは次のように定義する。
即ち、図示しないがこの種のヘッドには、打球の目安としてスコアラインがフェース部に設けられている。そこで、「打球面の中央」とは、スコアラインが設けられた領域のトゥ，ヒール方向及びトップ，ソール方向の中央をいう。
そして、図４に示すように挿通孔４５のサイド部１７側内周に、螺子（栓体）５１が螺着可能なネジ部５３が設けられると共に、ネジ部５３のサイド部１７側開口部に凹部５５が設けられており、螺子５１をネジ部５３に完全に螺着した際に、当該凹部５５内に螺子５１の頭部５７が収納されて、螺子５１がサイド部１７の外方へ突出しないようになっている。
【００２５】
更に、上記挿通孔４５内には、凹部４９に当接する線状部材３９（球状部４１）を当接方向へ押圧付勢する押圧部材として、金属製のコイルバネ５９が螺子５１と支持部材４３の間に交換可能に収納されており、図３乃至図５に示すように凹部５５側から貫通孔４５内に線状部材３９をその球状部４１側から挿入し、次いでコイルバネ５９を貫通孔４５内に装着して螺子５１をネジ部５３に螺着すると、球状部４１が凹部４９に嵌合当接して、線状部材３９が打球面の中央に接する平面Ｑに対し鉛直方向に配置されると共に、シャフト軸線Ｓを含む水平基準面Ｌの鉛直面（図示せず）に対し９０°の角度で配置されるようになっている。
【００２６】
そして、このとき、フェース部９に対するコイルバネ５９の押圧力（バネ力）を、螺子５１が線状部材３９に付勢しており、これにより、打球時のヘッド３（フェース部９）の撓みが線状部材３９で規制され、この結果、ヘッド３の反発係数が低下して２００８年以降のルールに適合するようになっている。
また、上記コイルバネ５９は、線材径の細い他の同一長のコイルバネ（図示せず）と交換可能で、コイルバネ５９に代えて線材径の細いコイルバネを挿通孔４５内に装着して螺子５１をネジ部５３に螺着すると、コイルバネ５９よりも弱いこのコイルバネの押圧力（バネ力）で、線状部材３９の球状部４１が凹部４９に嵌合当接するようになっている。
【００２７】
このため、コイルバネ５９を用いた場合に比し、打球時のヘッド３（フェース部９）の撓みに対する線状部材３９の規制が緩和され、打球時にヘッド３（フェース部９）が撓み易くでき、この結果、高反発なヘッド３となって飛距離を楽しむことができるようになっている。
このように反発係数切換え部材３７は、線状部材３９とコイルバネ５９と螺子５１、そして、コイルバネ５９と交換可能で、これより線材径の細い他の同一長のコイルバネとで構成されている。
【００２８】
尚、このように本実施形態は、斯様にコイルバネ５９とこれよりも線材径の細い同一長のコイルバネを用いることで、フェース部９に対する線状部材３９の押圧力を切り換えてヘッド３の反発係数を調整するように構成したが、コイルバネ５９とこれよりも巻数（長さ）の少ない（短い）コイルバネを用いて、フェース部９に対する押圧力を切り換えるように構成してもよい。
【００２９】
また、金属製のコイルバネに代え、コイルバネを弾性率の異なる合成樹脂材で形成してもよいし、皿バネ等を用いることも可能である。
そして、本実施形態では、線状部材３９をチタン合金で形成したが、線状部材を高比重材料で形成すると、ヘッド３の重心に大きな影響を与えてしまうため好ましくない。
つまり、比重が小さく、且つ打球時の変形に対する強度の高い（弾性限度の高い）材料が好ましく、また、弾性限度の高い「ゴムメタル（登録商標）」も好ましい。
【００３０】
更に、本実施形態では、線状部材３９の先端に球状部４１を一体成形したが、球状部を別体で形成して線状部材の先端に取り付けてもよく、線状部材の先端はＲ形状が好ましい。そして、別体の場合、この球状部はアルミ，アルミ合金，マグネシウム合金等、線状部材よりも低比重材料が、重量バランス上、好ましい。
更にまた、円弧状の凹部４９に代え、球状部４１が当接する部位の周辺を凸状に形成してもよく、これら凹部４９等によって球状部４１の位置決めが容易になっている。
【００３１】
本実施形態に係るゴルフクラブ７はこのように構成されているから、使用に当たり、図３乃至図５に示すように凹部５５側から貫通孔４５内に線状部材３９をその球状部４１側から挿入し、次いでコイルバネ５９を貫通孔４５内に装着して螺子５１をネジ部５３に締め付けると、球状部４１が位置ズレすることなく凹部４９に嵌合当接し、また、線状部材３９が打球面の中央に接する平面Ｑに対し鉛直方向に配置されると共に、シャフト軸線Ｓを含む水平基準面Ｌの鉛直面に対し９０°の角度で配置されてフェース部９を押圧するため、打球時のフェース部９の撓みが線状部材３９で低減されて反発係数が低下し、ヘッド３が２００８年以降のルールに適合した仕様となる。
【００３２】
また、既述したようにコイルバネ５９に代え、線材径の細いコイルバネを挿通孔４５内に装着して螺子５１をネジ部５３に締め付ければ、コイルバネ５９よりも弱いこのコイルバネの押圧力（バネ力）で、線状部材３９の球状部４１が凹部４９に嵌合当接する。
このため、コイルバネ５９を用いた場合に比し、打球時のヘッド３（フェース部９）の撓みに対する線状部材３９の規制が緩和され、打球時にヘッド３（フェース部９）が撓み易くでき、この結果、高反発なヘッド３となって飛距離を楽しむことができる。
【００３３】
このように本実施形態は、反発係数切換え部材３７でフェース部９の反発係数を調整可能として、２００８年以降のルールに適合したヘッド３と高反発のヘッド３とに使い分けできるので、ルールに適合した仕様により公式の競技会で使用でき、また、プライベートな使用では飛びを制限することなく飛距離を楽しむことが可能となった。
而も、本実施形態によれば、２種類のコイルバネ５９を交換してフェース部９の反発係数を切り換えても、スイートスポットの位置が殆ど変化しないので、プレイヤーは打ち方を変える必要がなく、また、線状部材３９をフェース部９の裏面に当接させたまま、押圧力を変化させる構造上、打球音の大きな変化もなく、安定したスイングが可能である。
【００３４】
また、ゴルフメーカにとっても、ルールに適合するゴルフクラブと適合しないゴルフクラブの２種類を製造する必要がないため、面倒な生産管理や在庫管理が不要となってコストがかかることがない。
図７は請求項１，請求項３及び請求項７，請求項８に係る発明の一実施形態を示し、上記実施形態では、コイルバネ５９を交換することで、コイルバネ５９による押圧力を切り換えてフェース部９の反発係数を調整するように構成したが、本実施形態は、螺子５１のネジ込み量（締付量）を調整して線状部材３９による押圧力を調整することで、フェース部９の反発係数を調整させるようにしたもので、ネジ込み量が大きいとフェース部９の反発係数が低下し、ネジ込み量が少ないと、フェース部９の裏面に対する線状部材３９の押圧力が低下してフェース部９の反発係数が大きくなる。
【００３５】
而して、この実施形態によっても、図１の実施形態と同様、所期の目的を達成することが可能である。
図８乃至図１０は請求項１及び請求項４に係る発明の一実施形態を示し、以下、本実施形態を図面に基づき説明するが、図１の実施形態と同一のものには同一符号を付してそれらの構造説明は省略する。
【００３６】
図８に於て、６１はヘッド本体２１-1の内方へ向けてソール部１９-1に突設した筒状の回転支持部で、当該回転支持部６１は、ソール部１９-1に開口する平面視円形状の大径部６３と、ヘッド本体２１-1内に突出する平面視円形状の小径部６５とで構成されている。
そして、回転支持部６１内に、その内周形状に沿って形状された支軸（栓体）６７が回転操作可能に挿入されている。そして、当該支軸６７の挿入側先端に、反発係数切換え部材６８としての円盤状のプレート６９がソール部１９-1に沿ってピン７１で固着されており、当該プレート６９は、その外周が常時フェース部９-1の裏面に当接している。
【００３７】
プレート６９はチタン合金（圧延材，鍛造材が好ましい）で形成されており、その肉厚ｔ１は、１．５ｍｍ≦ｔ１≦１０．０ｍｍに設定されている。この場合、肉厚ｔ１は、１．５ｍｍ未満ではフェース部９-1の撓みを抑え難く、１０．０ｍｍを超えると重量が重くなって、ヘッド重量や重量バランスが変化し過ぎてしまう。
また、図示するようにプレート６９には、その外周形状に沿って半円弧状の開孔７３が設けられており、当該開孔７３とプレート６９の外周との肉厚ｔ２は薄く、０．５ｍｍ≦ｔ２≦３．０ｍｍ程度に設定されている。
【００３８】
そして、図１０に示すようにソール部１９-1に露出する支軸６７の操作面７５に、平面視矢印形状の目印７７が凹状に設けられており、当該目印７７に例えばコインを係合させて支軸６７を回転させると、図１０に示すようにプレート６９が矢印方向へ回転するようになっている。そして、この回転に伴い、プレート６９の開孔７７側と反開孔７７側がフェース部９-1の裏面側に当接するようになっており、図１０の如く目印７７の矢印がフェース部９-1方向に向かったとき、プレート６９の開孔７７側がフェース部９-1の裏面に当接するようになっている。
【００３９】
また、図１０に示すようにプレート６９（支軸６７）の位置決めとして、支軸６７の操作面７５の外周に、上記目印７７に沿って１個の位置決め凸部７９が外方へ突設されると共に、大径部６３の内周に当該位置決め凸部７９が係脱する位置決め凹部８１，８３が、ヘッド３-1のトゥ，ヒール方向に沿って前後に設けられており、位置決め凸部７９が前側の位置決め凹部８１に係合すると、図８及び図９に示すようにプレート６９の開孔７７側がフェース部９-1の裏面に当接して位置決めされるようになっている。
【００４０】
そして、位置決め凸部７９が後方の位置決め凹部８３に係合すると、プレート６９の反開孔７７側がフェース部９-1の裏面に当接して位置決めされるようになっており、プレート６９は開孔７３が設けられていることで、反開孔７７側に比し開孔７７側の剛性が低くなっている。
このため、プレート６９の反開孔７７側がフェース部９-1の裏面に当接すると、フェース部９-1に対するプレート６９の押圧力が強くなってフェース部９-1の打球時の反発係数が低下し、また、プレート６９の開孔７７側がフェース部９-1の裏面に当接すると、フェース部９-1に対するプレート６９の押圧力が低下して打球時の反発係数が大きくなる。
【００４１】
本実施形態に係るゴルフクラブ７-1はこのように構成されているから、支軸６７の操作面７５に設けた目印７７を目安に支軸６７を回転させて、位置決め凸部７９を位置決め凹部８３に係合させると、剛性の高いプレート６９の反開孔７７側がフェース部９-1の裏面に当接するため、フェース部９-1に対するプレート６９の押圧力が強くなり、打球時のフェース部９-1の撓みがプレート６９で低減されて反発係数が低下し、ヘッド３-1が２００８年以降のルールに適合した仕様となる。
【００４２】
また、支軸６７を回転させて、位置決め凸部７９を位置決め凹部８１に係合させると、図９に示すように剛性の低いプレート６９の開孔７７側がフェース部９-1の裏面に当接するため、打球時のヘッド３-1（フェース部９-1）が撓み易くでき、高反発なヘッド３-1となって飛距離を楽しむことができる。
このように本実施形態は、反発係数切換え部材６８として機能するプレート６９によりフェース部９-1の反発係数を容易に調整可能として、２００８年以降のルールに適合したヘッド３-1と高反発のヘッド３-1とに使い分けできるので、本実施形態によっても、ルールに適合した仕様により公式の競技会で使用でき、また、プライベートな使用では飛びを制限することなく飛距離を楽しむことが可能である。
【００４３】
而も、プレート６９は開孔７７側に比し反開孔７７側が重量大であるから、図８に示すようにプレート６９の反開孔７７側の位置に応じてヘッド３-1の重心Ｇ1，Ｇ２が移動し、特にヘッド３-1の高反発時に重心Ｇ1がＧ２へと移動するため、ボールの打出し角が高くなって飛距離が更に向上する利点を有する。
図１１及び図１２は請求項１及び請求項７に係るゴルフクラブの一実施形態を示し、本実施形態は、フェース部の裏面に対する線状部材の当接位置を変化させて、打球時に於けるフェース部の反発係数を調整可能としたものである。
【００４４】
即ち、図中、８５はヘッド３-2のフェース部９-2に向けてサイド部１７-2に突設した筒状の回転支持部で、当該回転支持部８５は、サイド部１７-2に開口する平面視円形状の大径部８７と、ヘッド本体２１-2内に突出する平面視円形状の小径部８９とで構成されている。そして、回転支持部８５内に、その内周形状に沿って形状された樹脂製の支軸（栓体）９１が回転操作可能に挿入されており、当該支軸９１の挿入側先端に、小径部８９（回転支持部８５）の先端に当接して支軸９１の抜止めを図る円盤状の保持プレート９３がピン９５を介して止着されている。
【００４５】
そして、上記保持プレート９３に、先端の球状部４１がフェース部９-2の裏面に常時当接する線状部材３９が、支軸９１の中心軸Ｐから偏移した位置に取り付けられている。
また、図１０の目印７７と同様、サイド部１７-2に露出する支軸９１の操作面９７には、平面視矢印形状の目印９９が凹状に設けられており、当該目印９９にコインを係合させて支軸９１を回転させると、図１１及び図１２に示すように支軸９１の中心軸Ｐを回転中心に線状部材３９が矢印方向へ回転して、フェース部９-2の裏面に対する球状部４１の当接位置が変化するようになっている。
【００４６】
そして、目印９９の矢印がヘッド３-2の上方に向かったとき、図１２の実線で示すように球状部４１がヘッド３の打球面の中央に対応するフェース部９-2の裏面に当接し、このとき、線状部材３９は、打球面の中央に接する平面に対し鉛直方向に配置されると共に、シャフト軸線Ｓを含む水平基準面の鉛直面に対し９０°の角度で配置されるようになっている。
【００４７】
また、目印９９の矢印がヘッド３-2の下方に向かったとき、図１２の二点鎖線で示すように線状部材３９が支軸９１の中心軸Ｐを回転中心に１８０°回転して、図１１に示すようにソール部１９側のフェース部９-2の裏面に球状部４１が当接するようになっている。
更に、図示しないが支軸９１の位置決めとして、図１０の実施形態と同様、支軸９１の操作面９７の外周に、上記目印９９に沿って１個の位置決め凸部が外方へ突設されると共に、大径部８７の内周に当該位置決め凸部が係脱する位置決め凹部が、ヘッド３-2のトップ，ソール方向に沿って上下に設けられており、位置決め凸部が上方の位置決め凹部８１に係合すると、既述したように線状部材３９の球状部４１が、ヘッド３-2の打球面の中央に対応するフェース部９-2の裏面に当接するようになっている。
【００４８】
本実施形態のゴルフクラブ７-2に装着した反発係数切換え部材１００はこのように構成されているから、支軸９１の操作面９７に設けた目印９９を目安に支軸９１を回転させて、位置決め凸部を上方の位置決め凹部に係合させると、既述したように線状部材３９の球状部４１が、ヘッド３-2の打球面の中央に対応するフェース部９-2の裏面に当接するため、線状部材３９による押圧力で打球時のフェース部９-2の撓みが規制されて反発係数が低下し、ヘッド３-2が２００８年以降のルールに適合した仕様となる。
【００４９】
一方、目印９９を目安に支軸９１を回転させて、位置決め凸部を下方の位置決め凹部に係合させると、線状部材３９が支軸９１の中心軸Ｐを回転中心に１８０°回転して、図１１に示すようにソール部１９側のフェース部９-2の裏面に球状部４１が当接するため、球状部４１が実線で示すようにフェース部９-2の裏面に当接していた場合に比し、フェース部９-2の撓みに対する線状部材３９の規制が緩和され、打球時のヘッド３-2（フェース部９-2）が撓み易くでき、この結果、高反発なヘッド３-2となって飛距離を楽しむことができる。
【００５０】
従って、本実施形態によっても、図１の実施形態と同様、所期の目的を達成することが可能である。
尚、上記実施形態では、操作面９７の外周に設けた１個の位置決め凸部が係脱する位置決め凹部を、ヘッド３-2のトップ，ソール方向に沿って上下に設けたが、例えば位置決め凹部を４５°の間隔を空けて８箇所に設ければ、フェース部９-2の裏面に対して球状部４１を線状部材３９（球状部４１）の回転軌跡上の８箇所で位置決めすることが可能となって、ヘッド３-2のより細かな反発係数の調整が可能となる。
【００５１】
図１３は請求項１，請求項５，請求項８及び請求項９のゴルフクラブの一実施形態を示し、図中、１０１は既述した線状部材３９と同様、低比重なチタン合金で形成された太さ１．８〜５．０ｍｍからなる棒状の線状部材で、その先端にゴム等の弾性材で形成された筒状の当接部材１０３が取り付き、線状部材４３の後端は円筒状の螺子（栓体）１０５の中央に挿着されている。
【００５２】
そして、ヘッド３-3のフェース部９に対向するサイド部１７-3に、上記螺子１０５が螺着可能に貫通孔１０７の内周が螺刻された筒状の取付部１０９がフェース部９の裏面方向へ突設されると共に、ヘッド３-3の打球面の中央に対応するフェース部９の裏面に、上記当接部材１０３が嵌合当接可能な円弧状の凹部４９が設けられており、図示するように上記貫通孔１０７内に線状部材１０１を当接部材１０３側から挿入して螺子１０５を取付部１０９に螺着すると、当接部材１０３が凹部４９に嵌合当接して、線状部材１０１が打球面の中央部に接する平面Ｑに対し鉛直方向に配置されると共に、シャフト軸線Ｓを含む水平基準面Ｌの鉛直面に対し９０°の角度で配置されるようになっている。
【００５３】
而して、斯様に螺子１０５を取付部１０９に螺着して線状部材１０１先端の当接部材１０３がフェース部９裏面の凹部４９に嵌合当接すると、既述した各実施形態と同様、線状部材１０１の押圧力で、打球時に於けるフェース部９の撓みが規制され、この結果、反発係数が２００８年以降のルールに適合するようになっている。
また、本実施形態では、上記線状部材１０１と当接部材１０３，螺子１０５からなる反発係数切換え部材１１１に代え、上記線状部材１０１と同一径，同一寸法からなる線状部材をステンレスで形成して、その先端に上記当接部材１０３が取り付き、後端が上記螺子１０５に挿着された反発係数切換え部材が別途用意してあり、上記反発係数切換え部材１１１に代えてこの反発係数切換え部材が取付部１０９に同様に組み付くようになっている。  そして、この線状部材はステンレスで形成されているため、この反発係数切換え部材を用いると、上記反発係数切換え部材１１１を用いた場合に比し、打球時に於けるフェース部９の撓みに対する規制が緩和され、打球時のヘッド３-3（フェース部９）が撓み易くでき、この結果、高反発なヘッド３-3となって飛距離を楽しむことができるようになっている。
【００５４】
また、本実施形態では、上記反発係数切換え部材１１１と、線状部材をステンレスで形成した反発係数切換え部材とで、ヘッド３-3のサイド部１７-3側で外部に露出する螺子１０５の頭部表面の色や形状等のデザインを変えて、反発係数切換え部材のどちらを装着しているかの識別が容易になっている。
尚、上述したチタン合金とステンレスの組合せに代え、例えば線状部材を金属と繊維強化樹脂とで使い分ける構成としてもよい。
【００５５】
而して、本実施形態によれば、上記反発係数切換え部材１１１と、線状部材をステンレスで形成した反発係数切換え部材とを使い分けることにより、２００８年以降のルールに適合したヘッド３-3と高反発のヘッド３-3とに使い分けできるので、ルールに適合した仕様により公式の競技会で使用でき、また、プライベートな使用では飛びを制限することなく飛距離を楽しむことが可能となった。
【００５６】
而も、既述したように本実施形態は、サイド部１７-3側で外部に露出する螺子１０５の頭部表面の色や形状等のデザインを変えているため、どちらの反発係数切換え部材を装着しているかの識別も極めて容易である利点を有する。
尚、上記実施形態では、線状部材１０１の材質を変えてフェース部９の反発係数を切り換えたが、図示しない請求項１，請求項６，請求項８及び請求項９に係る実施形態の如く、前記線状部材１０１の先端に取り付く当接部材１０３を、例えば金属とゴム等の弾性材で別途形成して、これらを線状部材１０３に装着して２種類の反発係数切換え部材を用いることで、打球時に於けるフェース部の反発係数を切り換えるようにしてもよい。
【００５７】
そして、この場合、当接部材自体の弾性が異なるため、非打球時に２つの反発係数切換え部材をフェース部に対して同一の押圧力で装着しておいても、打球時に打球時のフェース部の撓みに対する規制が異なり、反発係数の調整が可能である。
【図面の簡単な説明】
【００５８】
【図１】請求項１，請求項２，請求項８及び請求項９の一実施形態に係るウッドのゴルフクラブの正面図である。
【図２】ヘッドの正面図である。
【図３】図２のIII−III線断面図である。
【図４】反発係数切換え部材の要部拡大断面図である。
【図５】反発係数切換え部材の要部分解拡大断面図である。
【図６】ヘッドの背面図である。
【図７】請求項１，請求項３及び請求項７，請求項８の一実施形態に係るゴルフクラブの反発係数切換え部材の要部拡大断面図である。
【図８】請求項１及び請求項４の一実施形態に係るゴルフクラブのヘッドの断面図である。
【図９】図８のIX−IX線断面図である。
【図１０】ヘッドの底面図である。
【図１１】請求項１及び請求項７の一実施形態に係るゴルフクラブのヘッドの正面図である。
【図１２】図１１のXII−XII線断面図である。
【図１３】請求項１，請求項５，請求項８及び請求項９の一実施形態に係るゴルフクラブのヘッドの断面図である。
【符号の説明】
【００５９】
１  シャフト
３，３-1，３-2，３-3  ヘッド
７，７-1，７-2，７-3  ゴルフクラブ
９，９-1，９-2  フェース部
１３  クラウン部
１７，１７-2，１７-3  サイド部
１９，１９-1  ソール部
２１，２１-1，２１-2  ヘッド本体
３７，６８，１００，１１１  反発係数切換え部材
３９，１０１  線状部材
４１  球状部
４３  支持部材
４５，１０７  挿通孔
４７，１０９  取付部
４９  凹部
５１，１０５  螺子
５３  ネジ部
５９  コイルバネ
６１，８５  回転支持部
６７，９１  支軸
６９  プレート
７３  開孔
７７，９９  目印
７９  位置決め凸部
８１，８３  位置決め凹部
９３  保持プレート
１０３  当接部材
【図１】
2007044279.tif 000003
【図２】
2007044279.tif 000004
【図３】
2007044279.tif 000005
【図４】
2007044279.tif 000006
【図５】
2007044279.tif 000007
【図６】
2007044279.tif 000008
【図７】
2007044279.tif 000009
【図８】
2007044279.tif 000010
【図９】
2007044279.tif 000011
【図１０】
2007044279.tif 000012
【図１１】
2007044279.tif 000013
【図１２】
2007044279.tif 000014
【図１３】
2007044279.tif 000015